(57)【要約】【課題】高齢者や障害者を含めて利用者に限らず、手軽にガーデニングを始められることを考慮し、また、その構造から安価に構成することができるプランター設置用フレームを提供する。【解決手段】プランター２を支持するプランター支持部を構成するプランター支持フレーム６と、該プランター支持フレーム６を上方に支持する支柱５と、該支柱５に設けられて、プランター支持部の高さ位置を変更可能にする高さ調節機構１０と、前記支柱５の各足部に取り付けられたキャスター３と、前記支柱５に取り付けられた脱着可能な作業台８と、前記プランター支持部に取り付けられたフック９と、から構成した。【選択図】図１
2005211000.tif 000002
【特許請求の範囲】
【請求項１】
プランターを支持するプランター支持部を構成するプランター支持フレームと、
該プランター支持フレームを上方に支持する支柱と、
該支柱に設けられて、プランター支持部の高さ位置を変更可能にする高さ調節機構と、
前記支柱の各足部に取り付けられたキャスターと、
前記支柱に取り付けられた脱着可能な作業台と、
前記プランター支持部に取り付けられたフックと、
から構成されたプランター設置用フレーム。
【請求項２】
前記プランター支持フレームに伸縮機構を設けた
ことを特徴とする請求項１に記載のプランター設置用フレーム。
【請求項３】
前記支柱に排水樋を取付けてプランター底部を覆うとともに、
前記排水樋の左右もしくは前後一方側に傾斜した傾斜面の下方側底部に開口部を設け、
該開口部に排水チューブを取付けた
ことを特徴とする請求項１又は２に記載のプランター設置用フレーム。
【請求項４】
請求項１、２、又は３に記載のプランター設置用フレームに自動潅水装置を設けた
ことを特徴とするプランター設置用フレーム。
【発明の詳細な説明】
【技術分野】
【０００１】
本発明は、高齢者や障害者であっても扱い易く、また、利用者にとって手軽にガーデニングを始められるように考慮したプランター設置用フレームに関する。
【背景技術】
【０００２】
一般に、植物の容器となるプランターは、単独で地面に置かれたり、階段状に形成された設置台等に置かれ、プランター内で好みの植物を育成し、様々な生活シーンに合わせて植物の育成や、植物の鑑賞等を楽しむことができるようにしている。
このようなプランター設置台においては、例えば、特許文献１に記載されるように、所定高さまで持上げ支持できるとともに、運搬が容易なプランター支持台が開示されているものである。
また、高齢者や障害者の身体状況に応じてプランターの高さを自由に変えることができるとともに、使用状況に応じて好きな場所に移動できるように構成したプランター支持台が公開されているものである。（例えば、特許文献２参照。）。
【０００３】
【特許文献１】特開２０００−３２０１８４
【特許文献２】特開２００３−１０２２７７
【発明の開示】
【発明が解決しようとする課題】
【０００４】
しかしながら、従来のプランター支持台においては、高齢者や障害者であっても扱い易く、好きな場所に移動できることは考慮されているものの、手軽にガーデニングを始められることを考慮されたものではない。
そこで、本発明においては、上記従来の技術に加え、手軽にガーデニングを始められることを考慮したものであり、また、その構造から安価に構成することができるプランター設置用フレームを提供するものである。また、所定サイズのプランターを配置できるように考慮したものである。
【課題を解決するための手段】
【０００５】
本発明の解決しようとする課題は以上の如くであり、次にこの課題を解決するための手段を説明する。
【０００６】
即ち、請求項１においては、プランターを支持するプランター支持部を構成するプランター支持フレームと、該プランター支持フレームを上方に支持する支柱と、該支柱に設けられて、プランター支持部の高さ位置を変更可能にする高さ調節機構と、前記支柱の各足部に取り付けられたキャスターと、前記支柱に取り付けられた脱着可能な作業台と、前記プランター支持部に取り付けられたフックと、から構成したものである。
【０００７】
請求項２においては、前記プランター支持フレームに伸縮機構を設けたものである。
【０００８】
請求項３においては、前記支柱に排水樋を取付けてプランター底部を覆うとともに、前記排水樋の左右もしくは前後一方側に傾斜した傾斜面の下方側底部に開口部を設け、該開口部に排水チューブを取付けたものである。
【０００９】
請求項４においては、請求項１、２、又は３に記載のプランター設置用フレームに自動潅水装置を設けたものである。
【発明の効果】
【００１０】
本発明の効果として、以下に示すような効果を奏する。
【００１１】
請求項１においては、高齢者や障害者に対しても楽に作業が行えるプランター設置用フレームを提供できるとともに、プランターに植えられる植物の育成に必要な用具を備えているため、利用者は手軽にガーデニングを始めることができる。また、キャスターを備えて移動自在に構成されているため、好みの場所に移動してプランターの鑑賞を行うことが可能となる。さらに、プランターの高さを調節できるため、プランターを床高さより上位置に配置することができ、風通しや日当りがよくなり病害虫が発生しにくくなり、衛生面を向上することができる。
【００１２】
請求項２においては、プランター支持部のサイズを任意に変更できるようになり、載置可能なプランターのサイズ幅が広くなり汎用性のあるプランター設置用フレームを提供することができる
【００１３】
請求項３においては、プランター下方から漏れ出す排水が下方に滴り落ちて水溜りになることがなく、任意の場所に誘引することが可能となるため、衛生面を向上することができる。
【００１４】
請求項４においては、留守時に対応して、自動で潅水することが可能となるものである。
【発明を実施するための最良の形態】
【００１５】
次に、発明の実施の形態を説明する。
図１は本発明に係るプランター設置用フレームの一実施の形態を示す斜視図、図２は作業用具用のフックの構成を示す斜視図、図３はプランター設置用フレームの一実施形態を示す正面図、図４は高さ調節機構の構造を示す断面図、図５は伸縮機構の構成を示す断面図、図６は排水樋の構成を示すプランター設置用フレームの正面図、図７は自動潅水機構の構成を示すプランター設置用フレームの正面図である。
【００１６】
まず、本発明に係るプランター設置用フレームの一実施の形態について説明する。
図１に示すように、プランター設置用フレーム１は４本の支柱５・５・・・と、各支柱５・５・・・の上部に配置された四本のプランター支持フレーム６・６・・・と、前記支柱５・５・・・の各足部に取付られたキャスター３・３・・・と、前記４本の支柱５・５・・・から水平方向に突設された２本のフレーム７・７と、該フレーム７・７上に配置された作業台８と、から構成されている。
【００１７】
前記プランター支持フレーム６・６・・・はそれぞれ四つの連結具１４・１４・・・にて連結されて長方形状に組まれており、前記四つの連結具１４・１４・・・にて長方形に組まれたプランター支持フレーム６・６・・・をプランター支持部として、そのフレーム上に、プランター２の開口端部に形成される突出端２ａを引っ掛けて支持できる構成としている。
また、長方形状に組まれた前記プランター支持部の各角部に前記支柱５・５・・・が取付けられて、プランター支持部を上方に支持できる構成としている。
【００１８】
前記連結具１４・１４・・・はそれぞれ同形状であってテトラ形状に形成され、そのｘ軸、ｙ軸、ｚ軸方向にそれぞれ、パイプ状の開口部を設けている。そして、該開口部内に前記プランター支持フレーム６・６・・・及び前記支柱５・５・・・を嵌挿することで、プランター設置用フレーム１の外形が形成されているものである。
【００１９】
また、前記支柱５・５・・・及びプランター支持フレーム６・６・・・はパイプ状に形成され、軽量化及び、折れ曲がりに対する強度の向上が図られている。
【００２０】
前記四本の支柱５・５・・・のうち隣接する二本の支柱５・５には、該支柱５・５上を摺動可能な連結具１２・１２を介して、作業台８を支持するためのフレーム７・７が水平方向に突設されている。前記連結具１２・１２には、支柱５を上下方向に挿通するための開口部が設けられているとともに、支柱５に対して垂直方向に開口された開口部が設けられている。そして、この垂直方向に開口された開口部に対して前記フレーム７・７が挿通固定され、該フレーム７・７の上部に作業台８が載置されて固定されているものである。
【００２１】
前記作業台８は板状部材で構成され、該作業台８上にはプランター内の植物育成のための作業具等を載置したり、また、植物育成のため作業をしたりできるようにしている。
前記作業台８を支持するフレーム７・７は、前記連結具１２・１２に対して着脱自在に取付られており、該フレームを外すことで作業台８の脱着を可能としているものである。
また、前記連結具１２・１２は支柱５・５に対して摺動可能に取り付けられており、任意の高さ位置に作業台８を配置できるようにしている。
【００２２】
前記キャスター３・３・・・は前記各支柱５・５・・・の足部に対して回転自在に取付けられた金具３ａと、該金具３ａに対して枢支されたローラ３ｂと、該ローラ３ｂの回転を規制するストッパ３ｃと、から構成されているものである。前記ストッパ３ｃはローラ３ｂの回転を規制状態・解除状態に変更することを可能にしており、プランター設置用フレーム１を移動する際には前記ストッパ３ｃを解除状態とし、配置場所への移動が完了して不動にしたい場合には前記ストッパ３ｃを規制状態として、回転を規制しておくことができるようにしている。
このように、各支柱５・５・・・の足部にキャスター３・３・・・を取り付けていることでプランター設置用フレーム１の移動を容易とすることができる。
【００２３】
図２に示すように、前記プランター支持フレーム６・６・・・には、プランター内の植物育成に使用する作業用具２０（例えば、ガーデンスコップやガーデンフォーク等）をかけておくためのフック９・９が設けられている。該フック９はＳ字状に形成されており、前記プランター支持フレーム６に対して着脱自在に懸けられてるものである。このように、高い位置に配されたプランター支持部にフックを配置したので、利用者は楽な姿勢で作業用具を取り出すことができる。
なお、該フック９・９は、作業用具２０を保持することができれば形状はＳ字に限定されるものではなく、また、プランター支持フレーム６に対して一体的に取付けるようにしてもよい。
【００２４】
また、前記支柱５・５・・・には、前記プランター支持フレーム６・６・・・の高さ位置を変更するための高さ調節機構１０を設けており、該高さ調節機構１０を調節することによってプランター２の高さを任意に変更できるようにしている。
【００２５】
前記高さ調節機構１０は、例えば、図４に示すような構造としている。
即ち、支柱５を上下で分割して、上下一方の支柱材５ａに対してノブボルト１０ａを挿通するための孔１０ｂを複数設けるとともに、他方の支柱材５ｂの先端側を先太りに形成し、該先太り部に対して垂直方向にノブボルト１０ａを取り付けた構造としている。また、一方の支柱材５ａの外周径を、他方の支柱材５ｂの内周径より小として、支柱材５ｂ内部に支柱材５ａを挿入できる構成としている。
前記ノブボルト１０ａは支柱材５ｂを挟んで二つ対向して設けられており、各ノブボルト１０ａ・１０ａの先端部を前記孔１０ｂ・１０に対して係合することで、支柱５の長さを設定し、プランター支持部の高さを位置決めできるようにしているのである。
【００２６】
このような構造において、プランター設置用フレーム１の高さ変更を行う場合、ノブボルト１０ａを緩めて、前記孔１０ｂからノブボルト１０ａ先端部の係合を解除し、所望の高さ位置の孔１０ｂにノブボルト先端位置を合わせて係合するのである。なお、プランター支持部に載置可能なプランターの個数及び、載置可能な総重量等の条件に応じて前記ノブボルト１０ａの個数が決定され、重量に耐え切れず破損しないように考慮されるものである。
また、以上に説明した高さ調節機構１０は上記の構造に限らず、支柱５・５・・・を伸縮及び固定できるとともに、プランター２をプランター支持部に載置した場合における重量に耐え得る強度を有していればよいものである。
【００２７】
また、前記プランター支持フレーム６・６・・・には、伸縮機構１６を設けており、該伸縮機構１６によりプランター２のサイズに合わせてプランター支持部の縦横長さを変更することで、任意のサイズのプランター２を載置できるようにしている。
【００２８】
以上の高さ調節機構により、プランターを任意の高さにセットすることができるため、高齢者、障害者、また子供であっても容易にプランター内の植物育成作業を行うことができるようになるのである。
【００２９】
前記伸縮機構１６は、例えば、図５に示すような構造としている。
即ち、前記プランター支持フレーム６を左右（もしくは前後）で二分割し、左右一方のフレーム材６ａの外周径を、他方のフレーム材６ｂの内周径より小として、フレーム材６ｂの内部にフレーム材６ａを挿入し、フレーム材６ｂの連結側端部の外周面にネジ溝を形成するとともに、該ネジ溝に係合するネジ山を内周面に設けたパイプ部材１６ａを連結端部に配置している。そして、前記フレーム材６ｂの連結端部には軸方向に切込みを設けている。
【００３０】
前記パイプ部材１６ａはフレーム材６ｂの連結端部側に先細り部１６ｂを形成しており、該パイプ部材１６ａを締付方向に回転するとフレーム材６ｂ先端がパイプ部材１６ａの先細り形状に沿って軸心方向に押し込まれるようにしている。逆に、前記パイプ部材１６ａを緩める方向に回転するとフレーム材６ｂ先端は外部に広がるようになっているものである。
【００３１】
このような伸縮機構１６の構造において、プランター支持フレーム６の伸縮を行う際には、前記パイプ部材１６ａを緩めてフレーム材６ｂとフレーム材６ａ間に僅かな隙間を形成させて摺動できる状態として位置合わせを行う。そして、長さが決定されて保持する際には、パイプ部材１６ａを締付方向に回転し、フレーム材６ｂをパイプ部材１６ａの先細り部１６ｂに移動させて、フレーム材６ａの外周にフレーム材６ｂを押し込んで密着させるのである。
【００３２】
以上のような伸縮機構１６の構造から前記プレンター支持フレーム６の長さを任意に変更することが可能となり、プランターのサイズに合わせてプランター支持部のサイズを変更することができる。このため、載置可能なプランターのサイズ幅が広くなり汎用性のあるプランター設置用フレームを提供することができる。
【００３３】
また、図６に示すように、前記プランター設置用フレーム１には排水樋２１を取り付けることが可能である。
前記排水樋２１はプランター支持部に載置されるプランターの底部２ｂを覆うように配置され、該排水樋２１の各角部に設けた係合片を４本の支柱５・５・・・にそれぞれ設けた樋受２５に懸架して位置固定されている。
また、前記排水樋２１は左右もしくは前後一方側に傾斜された傾斜面２１ｃを有し、該傾斜面２１ｃの下方側であって、その底部には開口部２１ｂを設けており、該開口部２１ｂにはマカロニ状の排水チューブ２３を取付けているものである。
そして、このような排水樋２１及び排水チューブ２３を取り付けることで、プランター底部２ｂから漏れ出す排水が下方に滴り落ちて水溜りになることがなく、一定位置に排水することが可能となるのである。
【００３４】
また、図７に示すように、前記プランター設置用フレーム１には自動潅水装置２７を取り付けることが可能である。
自動潅水装置２７は、例えば、水遣り器３４と貯水タンク３０と、該貯水タンク３０から上方のプランター２まで送水するホース３１と、該ホース３１の先端部に取付けたノズル３２から構成され、プランター支持部に載置されたプランター２に自動的に水を供給することができるようにしている。
前記水遣り器３４には水の供給量及び、供給する日時等を設定するための操作部を備えており、留守時に対応して自動的に水遣りを行うようにしている。
また、前記ホース３１は支柱５に沿って配置されるとともに、該支柱５からプランター支持フレーム６へと繋がり、その中途部にて分岐して各プランター２の上方位置にノズル３２が配されるようにしている。
【００３５】
このような構成において、設定した日時に水遣り器３４に水遣りを開始する命令が出されると、該水遣り器３４は貯水タンク３０からホース３１を介してプランター支持部へ水を供給し、該ホース３１先端部に取り付けたノズル３２・３２・・・からプランター２内部に向けて放水するのである。
なお、前記ホース３１をパイプ形状の支柱５及びプランター支持フレーム６内部に配置して、プランター支持フレーム６の内部からプランターに向けて放水するように構成してもよく、この場合、ホース３１を風雨等から防護することができ、劣化を抑えることができるものである。また、外部にホース３１が露出しないため、すっきりとした外観とすることができる。
【００３６】
このように、プランター設置用フレーム１に自動潅水装置を設けることで、利用者が留守にする場合にも対応することができるのである。
【図面の簡単な説明】
【００３７】
【図１】本発明に係るプランター設置用フレームの一実施の形態を示す斜視図。
【図２】作業用具用のフックの構成を示す斜視図。
【図３】プランター設置用フレームの一実施形態を示す正面図。
【図４】高さ調節機構の構造を示す断面図。
【図５】伸縮機構の構成を示す断面図。
【図６】排水樋の構成を示すプランター設置用フレームの正面図。
【図７】自動潅水機構の構成を示すプランター設置用フレームの正面図。
【符号の説明】
【００３８】
１    プランター設置用フレーム
２    プランター
３    キャスター
５    支柱
６    プランター支持フレーム
７    フレーム
８    作業台
９    フック
１０  高さ調節機構
１６  伸縮機構
２０  作業用具
２１  排水樋
２３  排水チューブ
２７  自動潅水装置
【図１】
2005211000.tif 000003
【図２】
2005211000.tif 000004
【図３】
2005211000.tif 000005
【図４】
2005211000.tif 000006
【図５】
2005211000.tif 000007
【図６】
2005211000.tif 000008
【図７】
2005211000.tif 000009